(57)【要約】【課題】広帯域回線を用いずに放送番組に関する動画の予告編等をユーザの希望するタイミングで提供できるテレビジョン受信装置【解決手段】テレビジョン受信装置は、保存部Ａ０１と予告関連情報抽出部Ａ０３と予告映像保存制御部Ａ０４とを備える。保存部Ａ０１は、予告映像データを保存する。予告関連情報抽出部Ａ０３は、放送波から予告映像データを抽出する。予告映像保存制御部Ａ０４は、予告関連情報抽出部Ａ０３が抽出した予告映像データを保存部Ａ０１に保存する。【選択図】図１
2007288720.tif 000002
【特許請求の範囲】
【請求項１】
予告映像データを保存する保存部と、
受信信号から予告映像データを抽出する予告関連情報抽出部と、
前記予告関連情報抽出部が抽出した予告映像データを前記保存部に保存する予告映像保存制御部と
を備えることを特徴とするテレビジョン受信装置。
【請求項２】
前記予告関連情報抽出部は、前記受信信号から予告映像データを抽出するとともに、前記抽出した予告映像データの被予告番組の識別を出力し、
前記予告映像保存制御部は、前記予告関連情報抽出部が抽出した予告映像データと該予告映像データとともに前記予告関連情報抽出部が出力した被予告番組の識別とを対応付けて、前記保存部に保存すること
を特徴とする請求項１に記載のテレビジョン受信装置。
【請求項３】
前記予告関連情報抽出部は、
現在日時を供給する現在日時供給部と、
前記現在日時供給部が供給する現在日時と受信中のチャネルのチャネル識別とに基づき、電子番組表データから受信中番組の番組情報を取得する受信中番組情報抽出部と、
前記受信中番組情報抽出部が取得した番組情報が第１の所定の条件を満たし、かつ、受信中の映像データが第２の所定の条件を満たしたときの映像データを予告映像データとして抽出する予告映像抽出部と、
前記受信中番組情報抽出部が取得した番組情報から、前記予告映像抽出部が抽出した予告映像データの被予告番組の識別を抽出する被予告番組識別抽出部と
を備えることを特徴とする請求項２に記載のテレビジョン受信装置。
【請求項４】
前記予告関連情報抽出部は、
現在日時を供給する現在日時供給部と、
電子番組表データの中から番組情報が所定の条件を満たしている番組を選択し、前記現在日時供給部が供給する現在日時を参照して、前記選択した番組を受信し、前記受信した番組の映像データを予告映像データとして抽出し、前記選択した番組の番組情報から抽出した被予告番組の識別を出力する予告映像抽出部と
を備えることを特徴とする請求項２に記載のテレビジョン受信装置。
【請求項５】
前記現在日時供給部は、前記受信信号から現在日時を抽出し、供給することを特徴とする請求項３または請求項４に記載のテレビジョン受信装置。
【請求項６】
前記受信信号から電子番組表データを取得する番組表取得部を備えること
を特徴とする請求項３から請求項５のいずれかの項に記載のテレビジョン受信装置。
【請求項７】
通信回線を介して番組表提供装置と接続し、前記番組表提供装置から電子番組表データを取得する番組表取得部を備えること
を特徴とする請求項３から請求項５のいずれかの項に記載のテレビジョン受信装置。
【請求項８】
前記受信信号には、映像データが予告映像か非予告映像かを通知する予告判別情報が含まれ、さらに予告判別情報が予告映像を通知しているときは被予告番組の識別が含まれ、
前記予告関連情報抽出部は、
前記受信信号の予告判別情報を参照し、予告映像を通知しているときは、前記受信信号から映像データを予告映像データとして抽出する予告映像抽出部と、
前記受信信号から被予告番組の識別を抽出する被予告番組識別抽出部と
を備えることを特徴とする請求項２に記載のテレビジョン受信装置。
【請求項９】
テレビジョン受信装置における予告映像再生方法において、
受信信号から予告映像データを抽出する第１の過程と、
前記第１の過程にて抽出した予告映像データを保存する第２の過程と
を備えることを特徴とする予告映像再生方法。
【発明の詳細な説明】
【技術分野】
【０００１】
本発明は、テレビジョン受信装置、特に受信信号から予告映像を抽出、保存することで、ユーザの希望するタイミングで予告映像を再生することができるテレビジョン受信装置および予告映像再生方法に関する。
【背景技術】
【０００２】
近年、ネットワーク技術の発展はめざましく、広帯域なインターネット環境が急速に一般家庭にも普及しつつある。また、これらのインターネット環境に接続できる機器は、パーソナルコンピュータ（ＰＣ）だけにとどまらず、薄型テレビやＨＤＤ（Hard Disk Drive）レコーダなどに代表されるデジタル家電にまで及んでいる。
このような状況に鑑み、広帯域なインターネット接続環境の利用を前提とし、放送番組に関する動画の予告編等をストリーミングで受信、再生できるテレビジョン受信装置が提案されている（例えば、特許文献１）。
【０００３】
図１９は、特許文献１に記載のテレビジョン受信装置の概略構成を示すブロック図である。  １はアンテナ、２はチューナ部、３は復調回路、４は誤り訂正部、５はトランスポートデコーダ、６はＭＰＥＧ（Moving Picture Experts Group）デコーダ、７はＯＳＤ（On-Screen Display）表示部、８はビデオエンコーダ、９は音声ＤＡＣ（Digital to Analog Converter ）である。また、１０はＣＰＵ（Central Processing Unit）、１１はＲＯＭ（Read Only Memory）、１２はＲＡＭ（Random Access Memory）、１３は入力Ｉ／Ｆ（InterFace）、１４はＬＡＮ（Local Area Network）  Ｐｏｒｔ、１５はＡＤＳＬ（Asymmetric Digital Subscriber Line）ｍｏｄｅｍである。
【０００４】
ここに、アンテナ１、チューナ部２、復調回路３、誤り訂正部４は衛星から受信されるデジタル放送信号を選択受信し、誤り訂正を施すフロントエンド部１７を形成し、トランスポートデコーダ５は、ＭＰＥＧ符号化されているデジタル放送信号に含まれている放送映像信号と放送音声信号とデータ信号とを分離するトランスポート部１８を形成し、ＭＰＥＧデコーダ６、ＯＳＤ表示部７、ビデオエンコーダ８、音声ＤＡＣ９はＭＰＥＧ符号化情報を復号し、接続されているテレビジョン受像機やオーディオ装置に出力するＭＰＥＧデコーダ部１９を形成している。
【０００５】
また、入力Ｉ／Ｆ１３はユーザから入力される操作情報をＣＰＵ１０に転送するインターフェイスを司り、ＬＡＮ  Ｐｏｒｔ１４は、当該テレビジョン受信装置をＬＡＮ接続可能とする情報転送動作を行うポートであり、ＡＤＳＬｍｏｄｅｍ１５との間の各種情報の転送制御を行うためのインターフェイスを提供している。また、ＡＤＳＬｍｏｄｅｍ１５は、インターネット網１６とブロードバンド回線により接続するためのブロードバンド接続手段を提供するものである。
【０００６】
なお、図１９においては、ＡＤＳＬｍｏｄｅｍ１５を備えることにより、インターネット網１６から、ブロードバンド（広帯域）回線を介して、ＡＤＳＬ信号即ちブロードバンド信号（例えば、動画や音声を含むブロードバンド用のストリーミングデータやブロードバンドデータそのものなどからなる広帯域信号）を転送させることを可能とするブロードバンド接続手段を構成しているが、かかるブロードバンド接続手段としては、前述のごときアナログ電話回線を用いるＡＤＳＬ回線に限るものではなく、例えば、光ファイバを用いるＦＴＴＨ（Fiber To The Home）回線あるいは同軸ケーブルを用いるＣＡＴＶ回線あるいは衛星アンテナを用いる衛星回線なども含むいずれか１つまたは複数のブロードバンド回線により、インターネット網１６と接続してもよい。
【０００７】
特許文献１に記載のテレビジョン受信装置は、以下に説明するように動作して、放送番組に関する動画の予告編等を受信、再生する。インターネット網１６のサーバには、放送番組の動画予告編やオプション情報やプレイバック再生映像の動画コンテンツが予め蓄積されている。テレビジョン受信装置は、インターネット網１６のサーバに蓄積されているコンテンツのうちいずれか任意の動画コンテンツをコンテンツ選択部１１ａにより選択し、ストリーミングデータとしてインターネット網１６を配信させて、ＡＤＳＬ  ｍｏｄｅｍ１５を介して受信する。テレビジョン受信装置は、ストリーミング再生可能な画像処理を用いたブロードバンドストリーミングデータ再生部１１ｂの動作により受信したストリーミングデータを再生して、ビデオエンコーダ８にてテレビ放送番組の放送映像信号と重畳させて、テレビ受像機のメイン画面に表示される該放送映像信号と同時に、テレビ受像機のサブ画面に表示させる。
【特許文献１】特開２００４−１５２２４号公報
【発明の開示】
【発明が解決しようとする課題】
【０００８】
しかしながら、特許文献１に示すテレビジョン受信装置においては、放送番組に関する動画の予告編等のストリーミング再生を実現するためには、動画のストリームを実時間でダウンロードすると、数百Ｋｂｐｓ以上の帯域を占有することになり、それ以上の帯域幅を持つＡＤＳＬ回線や、ＦＴＴＨ回線のような広帯域回線が必須である。このため、ユーザが広帯域回線を準備できなければ、前記放送番組に関する動画の予告編等をユーザの希望するタイミングで視聴することができないという問題がある。
【０００９】
本発明は、このような事情に鑑みてなされたもので、その目的は、広帯域回線を用いずに放送番組に関する動画の予告編等を希望するタイミングで視聴できるテレビジョン受信装置を提供することにある。
【課題を解決するための手段】
【００１０】
この発明は上述した課題を解決するためになされたもので、本発明は、予告映像データを保存する保存部と、受信信号から予告映像データを抽出する予告関連情報抽出部と、前記予告関連情報抽出部が抽出した予告映像データを前記保存部に保存する予告映像保存制御部とを備えることを特徴とするテレビジョン受信装置である。
【００１１】
また、本発明は、予告映像再生方法であって、テレビジョン受信装置における予告映像再生方法において、受信信号から予告映像データを抽出する第１の過程と、前記第１の過程にて抽出した予告映像データを保存する第２の過程とを備えることを特徴とする。
【００１２】
これにより、本発明のテレビジョン受信装置（予告映像再生方法）は、保存された予告映像データを再生することで、広帯域回線を用いずに放送番組に関する動画の予告編等をユーザの希望するタイミングで提供することができる。
【００１３】
また、本発明は、上述のテレビジョン受信装置であって、前記予告関連情報抽出部は、前記受信信号から予告映像データを抽出するとともに、前記抽出した予告映像データの被予告番組の識別を出力し、前記予告映像保存制御部は、前記予告関連情報抽出部が抽出した予告映像データと該予告映像データとともに前記予告関連情報抽出部が出力した被予告番組の識別とを対応付けて、前記保存部に保存することを特徴とする。
これにより、本発明のテレビジョン受信装置は、ユーザ操作による被予告番組の指定を受けて、指定された被予告番組の識別に対応付けて保存された予告映像データを再生することで、指定された被予告番組に関する動画の予告編等をユーザの希望するタイミングで提供することができる。
【００１４】
また、本発明は、上述のテレビジョン受信装置であって、前記予告関連情報抽出部は、現在日時を供給する現在日時供給部と、前記現在日時供給部が供給する現在日時と受信中のチャネルのチャネル識別とに基づき、電子番組表データから受信中番組の番組情報を取得する受信中番組情報抽出部と、前記受信中番組情報抽出部が取得した番組情報が第１の所定の条件を満たし、かつ、受信中の映像データが第２の所定の条件を満たしたときの映像データを予告映像データとして抽出する予告映像抽出部と、前記受信中番組情報抽出部が取得した番組情報から、前記予告映像抽出部が抽出した予告映像データの被予告番組の識別を抽出する被予告番組識別抽出部とを備えることを特徴とする。
【００１５】
これにより、本発明のテレビジョン受信装置は、第１および第２の所定の条件を適当な条件に設定すると、映像データに対して、送信時に予告映像の指定がなされていなくても、予告映像データを保存できるので、この予告映像データを再生することで、動画の予告編等をユーザの希望するタイミングで提供することができる。
【００１６】
また、本発明は、上述のテレビジョン受信装置であって、前記予告関連情報抽出部は、現在日時を供給する現在日時供給部と、電子番組表データの中から番組情報が所定の条件を満たしている番組を選択し、前記現在日時供給部が供給する現在日時を参照して、前記選択した番組を受信し、前記受信した番組の映像データを予告映像データとして抽出し、前記選択した番組の番組情報から抽出した被予告番組の識別を出力する予告映像抽出部とを備えることを特徴とする。
【００１７】
これにより、本発明のテレビジョン受信装置は、番組が予告映像のときに電子番組表データの番組情報に入っている情報に、前記所定の条件を合わせておくことで、予告映像保存制御部が、予告映像データを保存部に保存し、この予告映像データを再生することで、動画の予告編等をユーザの希望するタイミングで提供することができる。
【００１８】
また、本発明は、上述のいずれかのテレビジョン受信装置であって、前記現在日時供給部は、前記受信信号から現在日時を抽出し、供給することを特徴とする。
【００１９】
また、本発明は、上述のいずれかのテレビジョン受信装置であって、前記受信信号から電子番組表データを取得する番組表取得部を備えることを特徴とする。
【００２０】
また、本発明は、上述のいずれかのテレビジョン受信装置であって、通信回線を介して番組表提供装置と接続し、前記番組表提供装置から電子番組表データを取得する番組表取得部を備えることを特徴とする。
【００２１】
また、本発明は、上述のテレビジョン受信装置であって、前記受信信号には、映像データが予告映像か非予告映像かを通知する予告判別情報が含まれ、さらに予告判別情報が予告映像を通知しているときは被予告番組の識別が含まれ、前記予告関連情報抽出部は、前記受信信号の予告判別情報を参照し、予告映像を通知しているときは、前記受信信号から映像データを予告映像データとして抽出する予告映像抽出部と、前記受信信号から被予告番組の識別を抽出する被予告番組識別抽出部とを備えることを特徴とする。
【００２２】
これにより、本発明のテレビジョン受信装置は、保存部に保存された予告映像データを再生することで、広帯域回線を用いずに放送番組に関する動画の予告編等をユーザの希望するタイミングで提供することができる。
【発明の効果】
【００２３】
この発明によれば、予告映像保存制御部が、予告関連情報抽出部により受信信号から抽出された予告映像データを保存部に保存する。このため、本発明のテレビジョン受信装置は、保存部に保存された予告映像データを再生することで、広帯域回線を用いずに放送番組に関する動画の予告編等をユーザの希望するタイミングで提供することができる。
【発明を実施するための最良の形態】
【００２４】
以下に、本発明の実施の形態について、図面を用いて説明する。
図１は、本発明の実施の形態におけるテレビジョン受信装置の構成の概要を示すブロック図である。本発明におけるブロック図の記載において、各ブロック間をつなぐ矢印は、ブロック間にデータや信号の流れが存在することと前記流れの向きを示しているが、前記矢印のうち、破線のものについては、後述する各実施形態によって、データや信号が流れたり、流れなかったりすることを意味する。
【００２５】
Ａ０１は、電子番組表を構成するためのデータ（電子番組表データ）、所定の番組の予告を目的とする映像データ（予告映像データ）などを保存するための保存部である。ここで、便宜的に映像データと記述するが、映像データには、映像のみのデータ、音声のみのデータ、または、映像と音声の両方からなるデータのいずれの場合も含む。また、各予告映像データは映像データ中に含まれており、それぞれ一意の予告映像データＩＤが付与されて保存部Ａ０１に保存される。例えば、保存部Ａ０１が各種データをファイルとして保存し、かつ、予告映像データ毎に異なるファイル名で保存する場合は、各予告映像データのファイル名が予告映像データＩＤとなる。以下、保存部Ａ０１は予告映像データ毎に異なるファイル名をつけて保存するものとして説明を行うが、それ以外の任意の方法で予告映像データＩＤを付与しても構わない。
【００２６】
図２（ａ）、図２（ｂ）は、電子番組表データの具体的な形式の一例を示す概略図である。電子番組表データは、複数の番組情報から構成され、通常、テレビジョン受信装置が受信可能なチャネルについて現在日時から１日分〜１週間分程度の番組情報を全て含んでいる。
また、図２（ｃ）は、各番組情報の形式の一例を示す概略図である。図２（ｃ）に示す番組情報では、チャネルＩＤ、放送開始日時、番組時間長、ジャンル、シリーズ名、番組名、番組記述の計７つのフィールドから構成されているが、これ以外の任意のフィールド構成であって構わない。ここで、チャネルＩＤとは、チャネルを一意に識別するための情報で、具体的には、チャネル番号、放送事業者名などを指す。また、番組記述には、番組の内容や、出演者の名前などが文字データとして記載されている。以下の説明では、特に断りがないかぎり、番組情報の形式は、図２（ｃ）に示すものである。
図３は、図２（ａ）、図２（ｂ）、図２（ｃ）に示す形式による、電子番組表データの具体的な一例を示す概略図である。ＥＪ０１、ＥＪ０２、ＥＪ０３、ＥＪ０４、ＥＪ０５、ＥＪ０６、ＥＪ０７は、それぞれ電子番組表データを構成する番組情報である。なお、図３に示す電子番組表データの例では、各チャネルにおいて、番組は、２００６／３／１  ００：００、２００６／３／１  １２：００、２００６／３／２  ００：００に放送開始され、１２時間に１本のみ放送されている。
【００２７】
Ａ０２は、テレビジョンの放送波と少なくとも１つ以上のチャネル設定信号を入力とし、前記放送波から前記チャネル設定信号に対応するチャネルについての放送データを抽出、前記放送データを映像データと非映像データとに分離して出力する受信部である。ここで、図４に示すように、非映像データとは、各チャネルの放送データに多重化されている、映像データ以外の全てのデータのことを指し、大きく分けて、前記映像データに関連して多重化されているもの（映像関連非映像データ）と、前記映像データとは無関係に多重化されているもの（映像無関連非映像データ）の２種類が存在する。
【００２８】
非映像データの具体的な例として、映像関連非映像データには、どのチャネルで流されている放送データであるかを示すチャネルＩＤや、現在日時、現在番組情報（放送中の番組についての番組情報）などがあり、映像無関連非映像データには、電子番組表データなどがある。電子番組表データとは、例えば全てのチャンネルの１週間先までの放送予定番組に関する番組情報であり、ＥＰＧ（Electronic Program Guide；電子番組ガイド）を表示する際の元データとなる。なお、受信部Ａ０２によって出力される非映像データのうち、少なくとも、電子番組表データだけは保存部Ａ０１にて保存される。
【００２９】
Ａ０３は、映像データ、非映像データを入力とし、前記映像データに含まれる予告映像データだけを所定の方法で抽出、出力するとともに、前記予告映像データによって予告されている番組の番組ＩＤ（被予告番組の識別）を出力する予告関連情報抽出部である。ここで、番組ＩＤとは前記電子番組表データ中の所定の番組情報を特定するための識別子のことを指す。番組ＩＤの形式は、番組情報の形式と全く同一であってもよいが、番組を一意に特定するのに必要な最低限の情報であっても構わない。例えば、電子番組表データを構成する番組情報の形式が図２（ｃ）に示すものである場合、チャネルＩＤ、放送開始日時、番組時間長の３つのフィールドからなる情報を番組ＩＤとすることで、番組を一意に特定可能である。
【００３０】
また、予告関連情報抽出部Ａ０３は、必要に応じて、電子番組表データを保存部Ａ０１から取得する。更に、予告関連情報抽出部Ａ０３は、必要に応じて、チャネル設定信号を受信部Ａ０２に対して出力する。ここで、受信部Ａ０２が２つ以上のチャネル設定信号を受け付ける場合、受信部Ａ０２は予告関連情報抽出部Ａ０３から受けたチャネル設定信号に対応するチャネルについての映像データ、非映像データを予告関連情報抽出部Ａ０３に出力する。なお、予告関連情報抽出部Ａ０３のより詳細な動作については、後述する具体的な第１から第３の各実施形態の中で説明する。
【００３１】
Ａ０４は、予告映像データ、被予告番組ＩＤ（被予告番組の識別）、電子番組表データを入力とし、予告映像データ、予告映像・被予告番組関連情報を保存部Ａ０１に保存するよう制御する予告映像保存制御部である。ここで、予告映像・被予告番組関連情報とは、予告映像データと電子番組表データ中の被予告番組についての番組情報とを相互に関連付ける情報のことである。予告映像・被予告番組関連情報は、例えば、予告映像データを指定することで電子番組表データ中の対応する被予告番組の番組情報を読み出したり、逆に、電子番組表データ中の番組情報を指定することで対応する予告映像データを読み出したりする目的で使用される。なお、予告映像保存制御部Ａ０４は、不要となった予告映像データや予告映像・被予告番組関連情報を消去するようはたらいても良い。例えば、既に放送が終了した番組についての予告映像データや予告映像・被予告番組関連情報は通常不要であるため、保存部Ａ０１から消去し、有限である保存部Ａ０１の空き容量を確保することが好ましい。
【００３２】
図５（ａ）は、予告映像・被予告番組関連情報の保存形式の一例を示す概略図である。ＥＬ０３は、図３に示す電子番組表データにおける番組情報ＥＪ０３に予告映像データＩＤのフィールドが追加された番組情報である。予告映像保存制御部Ａ０４は、番組情報ＥＪ０３に対応する番組についての予告映像データを例えば「０３３．ｍｐｇ」というファイル名で保存部Ａ０１に保存する場合、予告映像データＩＤとして前記予告映像データのファイル名「０３３．ｍｐｇ」を電子番組表データにおける番組情報ＥＪ０３に追加し、番組情報ＥＬ０３とした上で保存部Ａ０１に保存しなおす。このように、番組情報の１つのフィールドとして、予告映像データＩＤを追加して保存することにより、予告映像データと電子番組表データ中の被予告番組についての番組情報とが相互に関連付けられる。
【００３３】
図５（ｂ）は、予告映像・被予告番組関連情報の保存形式の別の一例を示す概略図である。ＥＬ０１、ＥＬ０２は、いずれも予告映像・被予告番組関連情報である。図５（ｂ）では、図５（ａ）に示す保存形式とは異なり、予告映像・被予告番組関連情報を電子番組表データから独立させて保存しており、予告映像データＩＤだけでは予告映像データと電子番組表データ中の被予告番組についての番組情報とを関連付けることが出来ない。よって、予告映像データＩＤに加えて、前記予告映像データと対応する番組情報を電子番組表データの中から特定するための番組ＩＤを合わせて予告映像・被予告番組関連情報としている。
【００３４】
なお、予告映像保存制御部Ａ０４は、必要に応じて、予告映像データを適切な形式に変換してから保存部Ａ０１に保存してもよい。例えば、予告映像データの形式がアナログで、かつ、保存部Ａ０１がデジタルデータの保存しかできない場合、予告映像保存制御部Ａ０４は、予告映像データをＡＤ変換してから、保存部Ａ０１に保存する。また、予告映像データの形式がデジタルで、かつ、保存部Ａ０１がデジタルデータを保存できる場合であっても、前記予告映像データのサイズが大きく、保存部Ａ０１にそのまま保存できない場合は、圧縮してから保存する。
【００３５】
Ａ０５は、ユーザ操作信号、電子番組表データ、予告映像・被予告番組関連情報を入力とし、再生する予告映像データをユーザに選択させるためのＵＩ（User Interface）映像、選択された予告映像データの予告映像データＩＤを出力する予告映像選択部である。
【００３６】
Ａ０６は、ユーザ操作を入力とし、受信部Ａ０２、予告映像選択部Ａ０５などを制御するユーザ入力部である。例えば、ユーザが選局操作を行った場合は、ユーザが選択したチャネルに対応するチャネル設定信号を出力することで受信部Ａ０２を制御し、ユーザが所望するチャネルの映像データ、非映像データを放送波から抽出するよう動作させる。また、ユーザが録画された予告映像データの選択操作や再生操作を行った場合、ユーザの操作内容に応じたユーザ操作信号を出力することで、予告映像選択部Ａ０５を制御し、ユーザの所望の動作を行う。
【００３７】
Ａ０７は、予告映像データＩＤを入力し、前記予告映像データＩＤに対応する予告映像データを保存部Ａ０１から読み出して再生し、再生予告映像を出力する予告映像再生部である。
Ａ０８は、再生予告映像、または、ＵＩ映像を入力し、前記２つの映像のいずれか一方または両方を出力する合成映像出力部である。
Ａ０９は、受信部Ａ０２から受けた非映像データより、電子番組表データを取得して、保存部に保存する番組表取得部である。
【００３８】
本発明の実施の形態におけるテレビジョン受信装置には、大きく分けて二つの動作フェーズが存在する。一つは、いろいろな予告映像データを保存、収集する動作フェーズ（第１の動作フェーズ）であり、もう一つは、収集された予告映像データを選択、再生するフェーズ（第２の動作フェーズ）である。なお、前記二つの動作フェーズが同時に実行されてもよい。
ここで、第１の動作フェーズについては、予告関連情報抽出部Ａ０３の動作内容に依存する部分が大きいため、後述する具体的な各実施形態の中で説明する。
【００３９】
他方、第２の動作フェーズについては、各実施形態において共通の動作内容であるため、以下に説明する。
図６は、本発明の実施の形態におけるテレビジョン受信装置が、第２の動作フェーズの処理を行う際の動作フローチャートである。このフローチャートの処理は、ユーザが保存部Ａ０１に保存されている予告映像データを選択、再生する際に呼び出される。
処理開始後、予告映像選択部Ａ０５は、保存部Ａ０１から、電子番組表データ、予告映像・被予告番組関連情報を読み出し、再生したい予告映像データをユーザが選択するためのＵＩ映像を生成し、合成映像出力部Ａ０８にて前記ＵＩ映像を提示する（ステップＳＲ０１）。
【００４０】
ユーザが前記ＵＩ映像を見ながらユーザ入力部Ａ０６を操作し、再生したい予告映像データを選択、決定すると（ステップＳＲ０２／ＹＥＳ）、予告映像選択部Ａ０５により前記予告映像データに対応する予告映像データＩＤが予告映像再生部Ａ０７に対して出力され、予告映像再生部Ａ０７は前記予告映像データＩＤに対応する予告映像データを保存部Ａ０１から読み出して再生し、合成映像出力部Ａ０８にて再生予告映像を提示して（ステップＳＲ０３）、処理を終了する。なお、ステップＳＲ０３において再生予告映像を提示する際、予告映像選択部Ａ０５にて所定のＵＩ映像を生成し、合成映像出力部Ａ０８にて前記再生予告映像と合成して提示してもよい。
一方、ステップＳＲ０２において、ユーザが再生したい予告映像データを選択中の場合は（ステップＳＲ０２／ＮＯ）、再びステップＳＲ０１に戻って処理を繰り返す。
【００４１】
図７（ａ）は、本発明の実施の形態におけるテレビジョン受信装置において、ユーザが予告映像データを選択、再生するためのＵＩ映像の一例を示す概略図である。ＥＭ０１、ＥＭ０２、ＥＭ０３、ＥＭ０４、ＥＭ０５、ＥＭ０６、ＥＭ０７は、いずれも図３に示す電子番組表データを構成する番組情報のうち番組名だけを表示した番組名表示である。また、番組名表示ＥＭ０３の周囲の太枠は、現在、ユーザ入力部Ａ０６によって、番組名表示ＥＭ０３が選択中である旨を示すカーソルである。ＩＭ０３は、番組名表示ＥＭ０３に対応する番組についての予告映像データが保存部Ａ０１にて保存されていることを意味するアイコンである。ユーザは、ユーザ入力部Ａ０６を介して、各番組名表示間で前記カーソルを移動させ、いずれかの番組名表示を選択、再生する操作を行うことで前記番組名表示に対応する番組についての予告映像を視聴することができる。ただし、前記カーソルで選択されている番組名表示に対応する番組についての予告映像データが保存部Ａ０１に保存されていない場合は、操作部Ａ０６によって再生を促す操作を行っても、再生予告映像は視聴できない。
【００４２】
図７（ｂ）は、図７（ａ）に示すＵＩ映像を用いて、番組名表示ＥＭ０３を選択、対応する予告映像を再生した際の合成映像出力部Ａ０８による出力映像の一例を示す概略図である。図７（ｂ）では、再生中の予告映像データに対応する番組についての番組情報から予告映像選択部Ａ０５が生成したＵＩ映像と予告映像再生部Ａ０７が出力する再生予告映像とを合成映像出力部Ａ０８にて合成して提示している。
【００４３】
図８（ａ）は、本発明の実施の形態におけるテレビジョン受信装置において、ユーザが予告映像データを選択、再生するためのＵＩ映像の別の一例を示す概略図である。ＥＮ０１、ＥＮ０２は、いずれも予告映像データが保存部Ａ０１に保存されている番組についての番組情報表示である。また、番組情報表示ＥＮ０２の周囲の大枠は、現在、ユーザ入力部Ａ０６によって、番組情報表示ＥＮ０２が選択中である旨を示すカーソルである。ユーザは、ユーザ入力部Ａ０６を介して、各番組情報表示間で前記カーソルを移動させ、いずれかの番組情報表示を選択、再生することで前記番組情報表示に対応する番組についての予告映像を視聴することができる。
【００４４】
図８（ｂ）は、図８（ａ）に示すＵＩ映像において、番組情報表示ＥＮ０２を選択、対応する予告映像を再生した際の合成映像出力部Ａ０８による出力映像の一例を示す概略図である。図８（ｂ）では、予告映像再生部Ａ０７が出力する再生予告映像だけを合成映像出力部Ａ０８にて提示している。
以上、図７、図８を用いて、再生する予告映像データの選択の方法、再生予告映像の提示の方法について説明してきたが、これ以外の任意の方法を用いて構わない。
【００４５】
図９は、本発明の実施の形態におけるテレビジョン受信装置の構成の概要を示す別のブロック図である。同図において、図１に示すテレビジョン受信装置のブロック図と同一部分には同一符号を付し、その説明を省略する。
Ｅ９１は、電子番組表データを伝達するインターネット網である。
Ｅ０９は、インターネット網Ｅ９１に設置されたサーバなどから電子番組表データを取得し、保存部Ａ０１に保存する番組表取得部である。
【００４６】
図１に示すテレビジョン受信装置と、図９に示すテレビジョン受信装置との唯一の違いは、前者では、番組表取得部Ａ０９が電子番組表データを放送波から取得していたのに対し、後者では、番組表取得部Ｅ０９が電子番組表データをインターネット網Ｅ９１経由で取得する点にある。ただし、電子番組表データをインターネット網Ｅ９１経由で取得するのに必要な帯域は、前記従来技術において動画の予告編等をストリーミング再生するのに必要な帯域と比べるとごくわずかである。そのため、インターネット網Ｅ９１は、特許文献１に記載のテレビジョン受信装置におけるインターネット網１６とは異なり、必ずしもＡＤＳＬ回線やＦＴＴＨ回線などのブロードバンドである必要はない。
【００４７】
以下に示す各実施形態においては、予告関連情報抽出部Ａ０３を更に詳細なブロック構成に分割し、第１の動作フェーズについて詳細に説明する。なお、以下に示す各実施形態のテレビジョン受信装置においては、番組表取得部Ａ０９を備え、放送波から電子番組表データを取得するとして説明しているが、番組表取得部Ａ０９に替えて番組表取得部Ｅ０９を備え、番組表取得部Ｅ０９が電子番組表データをインターネット網Ｅ９１経由で取得してもよい。
【００４８】
［第１の実施形態］
図１０は、本発明の第１の実施形態におけるテレビジョン受信装置の構成の概要を示すブロック図である。同図において、図１に示すテレビジョン受信装置のブロック図と同一部分には同一符号を付し、その説明を省略する。
図１０において、図１における予告関連情報抽出部Ａ０３は、現在日時供給部Ｂ１１と受信中番組情報抽出部Ｂ１２と予告映像抽出部Ｂ１３と被予告番組ＩＤ抽出部Ｂ１４とで構成される。
【００４９】
Ｂ１１は、現在日時を出力する現在日時供給部である。現在日時供給部Ｂ１１が出力する現在日時の形式は、例えば「２００６年０３月０１日  １２：００」などである。なお、受信部Ａ０２が出力する非映像データの中に現在日時が含まれている場合、現在日時供給部Ｂ１１は、非映像データを入力とし、前記非映像データから現在日時を抽出、出力するという動作をしてもよい。
【００５０】
Ｂ１２は、チャネルＩＤ、現在日時、電子番組表データを入力とし、受信部Ａ０２にて現在受信中の番組についての番組情報（受信中番組情報）を抽出、出力する受信中番組情報抽出部である。受信中番組情報抽出部Ｂ１２の具体的な動作は、チャネルＩＤと現在日時を用いて、受信中番組情報を電子番組表データの中から特定、抽出し、出力するというものである。ここで、受信中番組情報は、必ずしも図２（ｃ）に示すような電子番組表データを構成する番組情報の全てのフィールドを含んでいなくてもよい。
図２（ｄ）は、受信中番組情報の形式の一例を示す概略図である。図２（ｄ）に示す受信中番組情報の形式は、図２（ｃ）に示す番組情報の形式から、番組記述のフィールドが省略されたものとなっている。
【００５１】
Ｂ１３は、映像データ、受信中番組情報を入力とし、所定の方法により映像データの中から次回の放送内容を予告する予告映像データを抽出、出力する予告映像抽出部である。前記所定の方法とは、例えば、番組の終了間際の所定時間の映像データを予告映像データとみなして抽出する方法であってもよいし、他の任意の方法であって構わない。なお、全ての番組について予告映像データが含まれるわけではないため、番組情報に対する所定の条件として、番組情報に所定のジャンル、または、所定の番組名を持つ番組についての映像データのみから予告映像データを抽出、出力することが望ましい。例えば、ジャンルがドラマの番組については、映像データ中に次回の放送に関する予告映像データを含む可能性が高い一方で、ジャンルがニュースの番組については次回の放送に関する予告映像データを含まない可能性が高いことは、経験上周知の事実である。
【００５２】
図１１（ａ）は、本発明の実施の形態におけるテレビジョン受信装置が扱う番組の映像データの構成の一例を示す概略図である。図１１（ａ）に示す映像データは、放送開始時刻から順に、本編映像、ＣＭ映像、正味の予告映像、ＣＭ映像という構成で成り立っており、全ての映像データの時間の合計が番組時間長となっている。
図１１（ｂ）、図１１（ｃ）、図１１（ｄ）は、予告映像抽出部Ｂ１３が、それぞれ映像データに対する所定の条件として、異なる条件を用いて図１１（ａ）に示す映像データから抽出した予告映像データの構成の一例を示す概略図である。
【００５３】
図１１（ｂ）に示す予告映像データは、予告映像抽出部Ｂ１３が、放送終了時刻より所定時間ＴＫ０１前の時刻から、放送終了時刻より所定時間ＴＫ０２前の時刻までであることを映像データに対する所定の条件とし、図１１（ａ）に示す映像データのうち、該条件を満たす映像データを予告映像データと見なして抽出することによって得られる。ここで、前記放送終了時刻とは、放送開始時刻に番組時間長を足すことで求められる時刻のことである。また、前記所定時間ＴＫ０１は前記所定時間ＴＫ０２よりも長いものとする。図１１（ｂ）に示す予告映像データは、正味の予告映像以外に本編映像、ＣＭ映像の一部を余分に含んだ構成となっている。なお、所定時間ＴＫ０１、ＴＫ０２は、任意の方法で決定して構わない。例えば、定数値であってもよいし、番組時間長に応じて変化する値であってもよいし、ユーザによって指定された値であってもよい。
【００５４】
図１１（ｃ）に示す予告映像データは、予告映像抽出部Ｂ１３が、図１１（ａ）に示す映像データのうち、まず、図１１（ｂ）に示す映像データを抽出し、更に、図１１（ｂ）に示す映像データのうち、所定の方法でＣＭ映像部分を判定、除去することを映像データに対するさらなる所定の条件とし、該条件を満たす映像データを予告映像データと見なして抽出、出力することによって得られる。ＣＭ映像の判定の方法には、例えば、映像データにおいて音声がステレオの部分をＣＭ映像と判定する方法などが挙げられるが、それ以外の任意の方法でＣＭ映像を判定してよい。図１１（ｃ）に示す予告映像データは、正味の予告映像以外にも本編映像の一部を依然含んだ構成となっている。また、図１１（ｃ）に示す予告映像データは、時間的に不連続な点を含むため、予告映像抽出部Ｂ１３によって出力する際は、連続となるように変換してから出力することが好ましい。
【００５５】
図１１（ｄ）に示す予告映像データは、予告映像抽出部Ｂ１３が、図１１（ａ）に示す映像データのうち、まず、図１１（ｃ）に示す映像データを抽出し、更に、図１１（ｃ）に示す映像データのうち、もっとも放送終了時刻に近い時間的に連続した部分映像データを予告映像データと見なして抽出、出力することによって得られる。図１１（ｄ）に示す予告映像データは、正味の予告映像のみによる構成となっている。
【００５６】
図１２（ａ）は、本発明の実施の形態におけるテレビジョン受信装置が扱う番組の映像データの構成の別の一例を示す概略図である。図１２（ａ）に示す映像データは、放送開始時刻から順に、本編映像、正味の予告映像、ＣＭ映像という構成で成り立っており、全ての映像データの時間の合計が番組時間長となっている。
図１２（ｂ）、図１２（ｃ）、図１２（ｄ）は、予告映像抽出部Ｂ１３が、それぞれ異なる方法を用いて図１２（ａ）に示す映像データから抽出した予告映像データの構成の一例を示す概略図である。
【００５７】
図１２（ｂ）に示す予告映像データは、図１１（ａ）に示す映像データから図１１（ｂ）に示す予告映像データを抽出するときと同様の方法を適用することで、図１２（ａ）に示す映像データから抽出することができる。
図１２（ｃ）に示す予告映像データは、図１１（ａ）に示す映像データから図１１（ｃ）に示す予告映像データを抽出するときと同様の方法を適用することで、図１２（ａ）に示す映像データから抽出することができる。
図１２（ｄ）に示す予告映像データは、図１１（ａ）に示す映像データから図１１（ｄ）に示す予告映像データを抽出するときと同様の方法を適用することで、図１２（ａ）に示す映像データから抽出することができる。
【００５８】
ここで、図１２（ｃ）と図１２（ｄ）は、全く同一である。これは、図１２（ｃ）に示す映像データにおいては本編映像と正味の予告映像が時間的に連続しており、もっとも放送終了時刻に近い時間的に連続した部分映像データを予告映像データと見なして抽出、出力する方法では、本編映像と正味の予告映像を分離できないためである。ただし、本編映像と正味の予告映像を客観的に区別するための手段が放送データ中に含まれているのであれば、予告映像抽出部Ｂ１３は、前記手段を利用して、図１２（ｄ）に示す予告映像データから正味の予告映像だけを分離、出力するよう動作することが好ましい。
【００５９】
Ｂ１４は、受信中番組情報、電子番組表データを入力とし、被予告番組ＩＤを出力する被予告番組ＩＤ抽出部である。被予告番組ＩＤ抽出部Ｂ１４の具体的な動作は、例えば、電子番組表データの中から、受信中番組情報と同一のシリーズ名で、かつ、現在日時の直近の未来に放送される番組を抽出し、前記番組についての番組ＩＤを被予告番組ＩＤとして出力する、というものである。
【００６０】
図１３は、本発明の第１の実施形態におけるテレビジョン受信装置が、第１の動作フェーズの処理を行う際の動作フローチャートである。  図１３に示すフローチャートの処理は、所定の時間間隔ＴＳ０１で定期的に呼び出される。
【００６１】
処理開始後、まず、受信中番組情報抽出部Ｂ１２にて受信部Ａ０２が現在受信中の番組情報を抽出する（ステップＳＳ０１）。次に、予告映像抽出部Ｂ１３にて前記番組情報に含まれる番組の放送開始日時と番組時間長から現在受信中の番組の放送終了日時を求め、前記放送終了日時と現在日時の差分時間が前記所定時間ＴＫ０２より短いか否かを判定する（ステップＳＳ０２）。ステップＳＳ０２にて「短くない」と判定された場合は（ステップＳＳ０２／ＮＯ）、予告映像抽出部Ｂ１３にて前記放送終了日時と現在日時の差分時間が前記所定時間ＴＫ０１より短いか否かを判定する（ステップＳＳ０５）。ステップＳＳ０５にて「短くない」と判定された場合は（ステップＳＳ０５／ＮＯ）、処理を終了する。
【００６２】
一方、ステップＳＳ０５にて「短い」と判定された場合は（ステップＳＳ０５／ＹＥＳ）、予告映像保存制御部Ａ０４にて現在映像データを保存部Ａ０１に保存中であるか否かを判定する（ステップＳＳ０６）。ステップＳＳ０６にて「保存中である」と判定された場合は（ステップＳＳ０６／ＹＥＳ）、処理を終了する。
一方、ステップＳＳ０６にて「保存中でない」と判定された場合は（ステップＳＳ０６／ＮＯ）、予告映像抽出部Ｂ１３は受信部Ａ０２にて現在受信中の映像データを予告映像データであると見なし、予告映像保存制御部Ａ０４により前記映像データの保存部Ａ０１への保存を開始し（ステップＳＳ０７）、処理を終了する。
【００６３】
一方、ステップＳＳ０２にて「短い」と判定された場合は（ステップＳＳ０２／ＹＥＳ）、予告映像保存制御部Ａ０４にて現在映像データを保存部Ａ０１に保存中であるか否かを判定する（ステップＳＳ０３）。
ステップＳＳ０３にて「保存中でない」と判定された場合は（ステップＳＳ０３／ＮＯ）、処理を終了する。
一方、ステップＳＳ０３にて「保存中である」と判定された場合は（ステップＳＳ０３／ＹＥＳ）、予告映像抽出部Ｂ１３は受信部Ａ０２にて現在受信中の映像データを予告映像データではないと見なし、予告映像保存制御部Ａ０４による映像データの保存部Ａ０１への保存を停止し、予告映像・被予告番組関連情報を保存部Ａ０１に保存してから（ステップＳＳ０４）、処理を終了する。
【００６４】
図１３に示すフローチャートによって保存される予告映像データの構成は、図１１（ｂ）に示すものだが、ステップＳＳ０４において、保存部Ａ０１に保存されている予告映像データを図１１（ｃ）または図１１（ｄ）に示す予告映像データへと変換してももちろん構わない。
【００６５】
なお、受信部Ａ０２が同時に１つのチャネル設定信号しか受け付けない場合、予告映像データの保存中は、ユーザ入力部Ａ０６による受信チャネルの変更を禁止するか、受信チャネルの変更時に強制的にステップＳＳ０４を実行し予告映像データの保存を終了することが望ましい。
【００６６】
以上の説明から、本発明の第１の実施形態に記載のテレビジョン受信装置によれば、所定の番組の終了間際の所定時間分の映像データの全部または一部を自動的に予告映像データとして保存し、前記所定の番組放送後の直近の未来に放送される前記所定の番組と同一シリーズ名の番組を前記予告映像データが予告している番組と見なして予告映像・被予告番組関連情報を保存することで、テレビジョン受信装置がブロードバンドのインターネット網に接続されていなくとも、ユーザは電子番組表の各番組情報と関連付けられた予告映像データを取得し、後の任意のタイミングで視聴することができるようになる。
【００６７】
［第２の実施形態］
図１４は、本発明の第２の実施形態におけるテレビジョン受信装置の構成の概要を示すブロック図である。同図において、図１に示すテレビジョン受信装置のブロック図と同一部分には同一符号を付し、その説明を省略する。
Ｃ２１、Ｃ２２は、図１に示す予告関連情報抽出部Ａ０３を更に詳細なブロック構成に分割したものである。
【００６８】
Ｃ２１は、映像データ、非映像データを入力とし、予告映像データを抽出、出力する予告映像抽出部である。ここで、予告映像抽出部Ｃ２１に入力される非映像データには、現在予告映像抽出部Ｃ２１に入力されている映像データが予告映像データであるか否かを示す情報（予告判別情報）が含まれているものとする。
図２（ｅ）は、映像関連非映像データの形式の一例を示す現在番組情報の概略図である。ここで、図２（ｅ）に示す現在番組情報におけるジャンルフィールドには、現在受信中の映像データが予告映像データである場合、番組予告である旨が書き込まれている。この場合、前記ジャンルフィールドが予告判別情報として利用できる。
【００６９】
Ｃ２２は、非映像データを入力とし、被予告番組ＩＤを出力する被予告番組ＩＤ抽出部である。ここで、現在受信中の映像データが予告映像データであるとき、被予告番組ＩＤ抽出部Ｃ２２に入力される非映像データには、被予告番組ＩＤが含まれているものとする。例えば、前記非映像データの形式が、図２（ｅ）に示すものである場合、番組名フィールドの内容を被予告番組のそれと同一にしておくことで、前記番組名フィールドがそのまま被予告番組ＩＤとして利用できる。ただし、電子番組表データにおける各番組情報の番組名フィールドの内容がそれぞれユニークであることが前提となる。
【００７０】
図１５は、本発明の第２の実施形態におけるテレビジョン受信装置が、第１の動作フェーズの処理を行う際の動作フローチャートである。図１５に示すフローチャートの処理は、所定の時間間隔ＴＴ０１で定期的に呼び出される。
処理開始後、まず、予告映像抽出部Ｃ２１にて受信部Ａ０２が現在受信中の映像データが予告映像データであるか否かを判定する（ステップＳＴ０１）。
ステップＳＴ０１にて「予告映像データである」と判定された場合（ステップＳＴ０１／ＹＥＳ）、予告映像保存制御部Ａ０４にて現在映像データを保存部Ａ０１に保存中であるか否かを判定する（ステップＳＴ０２）。
ステップＳＴ０２にて「保存中である」と判定された場合（ステップＳＴ０２／ＹＥＳ）、処理を終了する。
【００７１】
一方、ステップＳＴ０２にて「保存中でない」と判定された場合（ステップＳＴ０２／ＮＯ）、予告映像保存制御部Ａ０４により前記映像データの保存部Ａ０１への保存を開始し（ステップＳＴ０３）、処理を終了する。
一方、ステップＳＴ０１にて「予告映像データでない」と判定された場合（ステップＳＴ０１／ＮＯ）、予告映像保存制御部Ａ０４にて現在映像データを保存部Ａ０１に保存中であるか否かを判定する（ステップＳＴ０４）。
ステップＳＴ０４にて「保存中でない」と判定された場合（ステップＳＴ０４／ＮＯ）、処理を終了する。
【００７２】
一方、ステップＳＴ０４にて「保存中である」と判定された場合（ステップＳＴ０４／ＹＥＳ）、予告映像保存制御部Ａ０４による映像データの保存部Ａ０１への保存を停止し、予告映像・被予告番組関連情報を保存部Ａ０１に保存してから（ステップＳＴ０５）、処理を終了する。
【００７３】
なお、受信部Ａ０２が同時に１つのチャネル設定信号しか受け付けない場合、予告映像データの保存中は、ユーザ入力部Ａ０６による受信チャネルの変更を禁止するか、受信チャネルの変更時に強制的にステップＳＴ０５を実行し予告映像データの保存を終了することが望ましい。
【００７４】
以上の説明から、本発明の第２の実施形態に記載のテレビジョン受信装置によれば、非映像データに含まれる予告判別情報と被予告番組ＩＤを利用して、映像データに含まれる予告映像データを抽出、保存するとともに、前記予告映像データに対応する被予告番組を特定し、予告映像・被予告番組関連情報を生成、保存することで、テレビジョン受信装置がブロードバンドのインターネット網に接続されていなくとも、ユーザは電子番組表の各番組情報と関連付けられた予告映像データを取得し、後の任意のタイミングで視聴することができるようになる。
【００７５】
［第３の実施形態］
図１６は、本発明の第３の実施形態におけるテレビジョン受信装置の構成の概要を示すブロック図である。同図において、図１または図１０に示すテレビジョン受信装置のブロック図と同一部分には同一符号を付し、その説明を省略する。
Ｄ３１は、現在日時、映像データ、電子番組表データを入力とし、チャネル設定信号、予告映像データ、被予告番組ＩＤを出力する予告映像抽出部である。
【００７６】
図１７は、本発明の第３の実施形態におけるテレビジョン受信装置が扱う電子番組表データの具体的な一例を示す概略図である。図１７に示す電子番組表データにおいては、予告映像についても一種の番組であると見なされ番組情報が用意されている。ＥＯ０１、ＥＯ０３、ＥＯ０６は、予告映像についての番組情報である。予告映像抽出部Ｄ３１は、電子番組表データの番組情報の中でジャンルフィールドが番組予告となっているもの、即ち、予告映像についての番組情報だけを参照し、前記番組情報の放送開始日時になると受信部Ａ０２を前記番組情報のチャネルＩＤに記載されるチャネルの受信を行うよう設定した上で、放送終了日時となるまで受信中の映像データを予告映像データとして出力しつづける。また、予告映像抽出部Ｄ３１は、前記番組情報の番組名フィールドと同一の番組名フィールドを持ち、かつ、ジャンル名が番組予告でない番組情報を、前記予告映像に対応する被予告番組情報として電子番組表データの中から探し出し、前記被予告番組情報から被予告番組ＩＤを生成、出力する。
【００７７】
図１８は、本発明の第３の実施形態におけるテレビジョン受信装置が、第１の動作フェーズの処理を行う際の動作フローチャートである。
図１８に示すフローチャートの処理は、所定の時間間隔ＴＵ０１で定期的に呼び出されるか、或いは、現在日時が、いずれかの予告映像の放送開始日時または放送終了日時となったタイミングで呼び出される。なお、前記予告映像の放送開始日時及び放送終了日時は、電子番組表データ中の予告映像についての番組情報から取得または導出することができる。
【００７８】
処理開始後、まず、予告映像抽出部Ｄ３１にて現在日時が所定の予告映像の放送開始日時であるか否かを判定する（ステップＳＵ０１）。
ステップＳＵ０１にて「放送開始日時である」と判定された場合（ステップＳＵ０１／ＹＥＳ）、予告映像抽出部Ｄ３１は前記予告映像が放送されるチャネルを受信するよう受信部Ａ０２にチャネル設定信号を出力した上で、予告映像保存制御部Ａ０４により前記予告映像データの保存部Ａ０１への保存を開始し（ステップＳＵ０２）、処理を終了する。
一方、ステップＳＵ０１にて「放送開始日時でない」と判定された場合（ステップＳＵ０１／ＮＯ）、予告映像抽出部Ｄ３１にて現在日時が所定の予告映像の放送終了日時であるか否かを判定する（ステップＳＵ０３）。ステップＳＵ０３にて「放送終了日時でない」と判定された場合（ステップＳＵ０３／ＮＯ）、処理を終了する。
【００７９】
一方、ステップＳＵ０３にて「放送終了日時である」と判定された場合（ステップＳＵ０３／ＹＥＳ）、予告映像保存制御部Ａ０４にて現在予告映像データを保存部Ａ０１に保存中であるか否かを判定する（ステップＳＵ０４）。ステップＳＵ０４にて「保存中でない」と判定された場合は（ステップＳＵ０４／ＮＯ）、処理を終了する。
一方、ステップＳＵ０４にて「保存中である」と判定された場合は（ステップＳＵ０４／ＹＥＳ）、予告映像抽出部Ｄ３１は予告映像データの保存を停止し、予告映像・被予告番組関連情報を保存部Ａ０１に保存してから（ステップＳＵ０５）、処理を終了する。
【００８０】
なお、受信部Ａ０２が同時に１つのチャネル設定信号しか受け付けない場合、予告映像抽出部Ｄ３１が勝手にユーザの設定したチャネルから別のチャネルに変更することは好ましくない。よって、前記場合は、映像抽出部Ｄ３１は、受信部Ａ０２が受信するチャネルを変更せず、現在設定されているチャネルについての予告映像のみを保存するようにしてもよい。一方、予告映像データの保存中は、ユーザ入力部Ａ０６による受信チャネルの変更を禁止するか、受信チャネルの変更時に強制的にステップＳＵ０５を実行し予告映像データの保存を終了することが望ましい。
【００８１】
また、受信部Ａ０２が同時に複数のチャネル設定信号を受けつける場合であっても、受信可能なチャネル数を超える数の予告映像が同時に異なるチャネルで放送されるときは、所定の方法で優先順位をつけて、優先順位の高いチャネルについての予告映像データのみを保存することが望ましい。前記所定の方法には、例えば、各チャネルにおけるユーザの視聴状況を保存しておき、視聴率の高いチャネルを優先させる方法や、既に予告映像データを保存済みの番組については優先順位を下げるなどの方法が考えられるが、前記方法に限らず任意の方法で優先順位をつけて構わない。
【００８２】
本発明の第３の実施形態に記載のテレビジョン受信装置によれば、予告映像についての番組情報も含んだ電子番組表データを使用して、チャネルを自発的に変更しながら、予告映像データを保存するとともに、前記予告映像データに対応する被予告番組を特定し、予告映像・被予告番組関連情報を作成、保存することで、テレビジョン受信装置がブロードバンドのインターネット網に接続されていなくとも、ユーザは電子番組表の各番組情報と関連付けられた予告映像データを取得し、後の任意のタイミングで視聴することができるようになる。
【００８３】
なお、図１における受信部Ａ０２、予告関連情報抽出部Ａ０３、予告映像保存制御部Ａ０４、予告映像選択部Ａ０５、予告映像再生部Ａ０７、番組表取得部Ａ０９および図９における番組表取得部Ｅ０９は専用のハードウェアにより実現されるものであってもよく、また、これらはメモリおよびＣＰＵ（中央演算装置）により構成され、これらの機能を実現するためのプログラムをメモリにロードして実行することによりその機能を実現させるものであってもよい。
【００８４】
以上、この発明の実施形態を、図面を参照して詳述してきたが、具体的な構成はこの実施形態に限られるものではなく、この発明の要旨を逸脱しない範囲の設計等も含まれる。
【産業上の利用可能性】
【００８５】
本発明は、地上波、ＢＳ／ＣＳ、ＣＡＴＶなどのアナログおよびデジタルのテレビジョン放送を受信するいわゆるテレビ、チューナ、ＨＤＤ（Hard Disk Drive）レコーダ、ＤＶＤ（Digital Versatile Disk）レコーダなどのテレビジョン受信装置に用いて好適であるが、これに限られるものではない。
【図面の簡単な説明】
【００８６】
【図１】本発明の実施の形態におけるテレビジョン受信装置の構成の概要を示すブロック図である。
【図２】本発明の実施の形態におけるテレビジョン受信装置が扱う非映像データの形式の一例を示す概略図である。
【図３】本発明の実施の形態におけるテレビジョン受信装置が扱う電子番組表データの具体的な一例を示す概略図である。
【図４】本発明の別の実施形態におけるテレビジョン受信装置の構成の概要を示すブロック図である。
【図５】本発明の実施の形態におけるテレビジョン受信装置が扱う予告映像・被予告番組関連情報の保存形式の一例を示す概略図である。
【図６】本発明の実施の形態におけるテレビジョン受信装置が、第２のフェーズの処理を行う際の動作フローチャートである。
【図７】本発明の実施の形態におけるテレビジョン受信装置によるＵＩ映像の一例を示す概略図である。
【図８】本発明の実施の形態におけるテレビジョン受信装置によるＵＩ映像の別の一例を示す概略図である。
【図９】本発明の実施の形態におけるテレビジョン受信装置の構成の概要を示す別のブロック図である。
【図１０】本発明の第１の実施形態におけるテレビジョン受信装置の構成の概要を示すブロック図である。
【図１１】同の実施形態におけるテレビジョン受信装置が映像データから予告映像データを抽出する過程を示す概略図である。
【図１２】同の実施形態におけるテレビジョン受信装置が映像データから予告映像データを抽出する過程を示す別の概略図である。
【図１３】同の実施形態におけるテレビジョン受信装置が、第１のフェーズの処理を行う際の動作フローチャートである。
【図１４】本発明の第２の実施形態におけるテレビジョン受信装置の構成の概要を示すブロック図である。
【図１５】同の実施形態におけるテレビジョン受信装置が、第１のフェーズの処理を行う際の動作フローチャートである。
【図１６】本発明の第３の実施形態におけるテレビジョン受信装置の構成の概要を示すブロック図である。
【図１７】同の実施形態におけるテレビジョン受信装置が扱う電子番組表データの具体的な一例を示す概略図である。
【図１８】同の実施形態におけるテレビジョン受信装置が、第１のフェーズの処理を行う際の動作フローチャートである。
【図１９】特許文献１に記載のテレビジョン受信装置の構成を示すブロック図である。
【符号の説明】
【００８７】
Ａ０１…保存部
Ａ０２…受信部
Ａ０３…予告関連情報抽出部
Ａ０４…予告映像保存制御部
Ａ０５…予告映像選択部
Ａ０６…ユーザ入力部
Ａ０７…予告映像再生部
Ａ０８…合成映像出力部
Ａ０９…番組表取得部
Ｂ１１…現在日時供給部
Ｂ１２…受信中番組情報抽出部
Ｂ１３、Ｃ２１…予告映像抽出部
Ｂ１４、Ｃ２２…被予告番組ＩＤ抽出部
Ｄ３１…予告映像抽出部
Ｅ０９…番組表取得部
Ｅ９１…インターネット網
１…アンテナ
２…チューナ部
３…復調回路
４…誤り訂正部
５…トランスポートデコーダ
６…ＭＰＥＧデコーダ
７…ＯＳＤ表示部
８…ビデオエンコーダ
９…音声ＤＡＣ
１０…ＣＰＵ
１１…ＲＯＭ
１２…ＲＡＭ
１３…入力Ｉ／Ｆ
１４…ＬＡＮ  Ｐｏｒｔ
１５…ＡＤＳＬｍｏｄｅｍ
１６…インターネット網
１７…フロントエンド部
１８…トランスポート部
１９…ＭＰＥＧデコーダ部
【図１】
2007288720.tif 000003
【図２】
2007288720.tif 000004
【図３】
2007288720.tif 000005
【図４】
2007288720.tif 000006
【図５】
2007288720.tif 000007
【図６】
2007288720.tif 000008
【図７】
2007288720.tif 000009
【図８】
2007288720.tif 000010
【図９】
2007288720.tif 000011
【図１０】
2007288720.tif 000012
【図１１】
2007288720.tif 000013
【図１２】
2007288720.tif 000014
【図１３】
2007288720.tif 000015
【図１４】
2007288720.tif 000016
【図１５】
2007288720.tif 000017
【図１６】
2007288720.tif 000018
【図１７】
2007288720.tif 000019
【図１８】
2007288720.tif 000020
【図１９】
2007288720.tif 000021